【手続補正書】
【提出日】平成19年11月15日(2007.11.15)
【手続補正１】
【補正対象書類名】特許請求の範囲
【補正対象項目名】全文
【補正方法】変更
【補正の内容】
【特許請求の範囲】
【請求項１】
第１の金型部分に取り付けられるように構成され、該第１の金型部分の第１の側には少なくとも１つのプレートアセンブリが設けられ、該少なくとも１つのプレートアセンブリ内には前面に開口が開いている少なくとも１つの成形キャビティ部分が配置される、金型内製品ハンドリングシステムであって、
使用時に製品と係合して該製品を運搬するための複数の製品保持装置が前面に構成されている細長いレールによって提供される、少なくとも１つのスライドと、
該少なくとも１つのスライドの概ね両端に接続される前記第１のトランスミッション及び前記第２のトランスミッションであって、使用時に、前記少なくとも１つのプレートアセンブリの前面にわたって、前記少なくとも１つの成形キャビティ部分に隣接しており第１の動作を行う内側位置と、前記少なくとも１つのプレートアセンブリの前記前面から横方向に離間しており第２の動作を行う外側位置との間で、前記少なくとも１つのスライドを並進させるように協働する、前記第１のトランスミッション及び前記第２のトランスミッションと、
該第１のトランスミッション及び該第２のトランスミッションを駆動する動力手段（motive means）と、
を備え、前記第１のトランスミッション及び前記第２のトランスミッションはそれぞれ、
フレームプレートと、
該フレームプレートに収容される、経路に沿って構成される少なくとも１つの可撓性連結手段と、
前記フレームプレートの上面に取り付けられる、前記経路を画定する複数のガイドと、
なお、前記経路は前記ガイド間に画定される複数の経路部分を含み、
使用時に、前記少なくとも１つの可撓性連結手段を前記経路に沿って第１の位置と第２の位置との間で操作するために、前記動力手段を前記少なくとも１つの可撓性連結手段と連結する駆動部材と
を含み、前記少なくとも１つのスライドは、前記経路部分の１つに沿って前記少なくとも１つの可撓性連結手段に付随して該少なくとも１つの可撓性連結手段とともに駆動され、それにより、使用時に、該少なくとも１つの可撓性連結手段が前記経路に沿って前記第１の位置と前記第２の位置との間で操作されると、前記少なくとも１つのスライドは、それに対応して前記内側位置と前記外側位置との間でそれぞれ操作される、金型内製品ハンドリングシステム。
【請求項２】
前記少なくとも１つの可撓性連結手段の前記経路部分は、前方経路部分、後方経路部分、駆動経路部分、及び戻り経路部分を含み、
前記少なくとも１つのスライドの第１のスライドは、前記前方経路部分に取り付けられ、
前記少なくとも１つのスライドの第２のスライドは、前記後方経路部分に取り付けられ、
前記可撓性連結手段の経路は、前記前方経路部分及び前記後方経路部分が概ね逆方向に動作するように配置されるように構成される、請求項１に記載の金型内製品ハンドリングシステム。
【請求項３】
前記複数のガイドは、前記フレームプレートの最も外側のコーナに、その共通の第１の長手方向縁に沿って、前記少なくとも１つの第１のプレートアセンブリの前記前面に隣接し、使用時に、該少なくとも１つのプレートアセンブリの該前面と平行であるとともに該前面に近接して位置する、第１の外側ガイド及び第２の外側ガイドを含み、
前記前方経路部分は、前記第１の外側ガイドと前記第２の外側ガイドとの間に設けられ、
前記前方経路部分は、該前方経路部分に取り付けられている前記第１のスライドが前記少なくとも１つのプレートアセンブリの前記前面にわたって自由に並進できるように、該少なくとも１つのプレートアセンブリの該前面と平行であるとともに該前面に密接している、請求項２に記載の金型内製品ハンドリングシステム。
【請求項４】
前記複数のガイドは、前記第１の外側ガイドに近接して位置するとともに該第１の外側ガイドからわずかに内側にずれている後方ガイドも含み、
前記後方経路部分は、前記前方経路部分の後ろで、前記第２の外側ガイドと前記後方ガイドとの間に設けられ、
前記後方経路部分は、前記前方経路部分と平行に、且つ前記第２の外側ガイドの直径と等しい距離だけ前記前方経路部分から離間して配置され、前記後方経路部分は、該後方経路部分に取り付けられている前記第２のスライドが前記少なくとも１つのプレートアセンブリの前記前面にわたって自由に並進できるように、該少なくとも１つのプレートアセンブリの該前面と平行であるとともに該前面に密接している、請求項３に記載の金型内製品ハンドリングシステム。
【請求項５】
前記第１の金型部分の前記少なくとも１つのプレートアセンブリは、該第１の金型部分の第２の側に設けられる第２のプレートアセンブリを含み、該第２のプレートアセンブリ内には前面に開口が開いている少なくとも１つの成形キャビティ部分が配置され、
さらなる前方経路部分及び後方経路部分が、前記フレームプレートの前記最も外側のコーナに、その共通の第２の長手方向縁に沿って位置する前記第１の外側ガイド及び前記第２の外側ガイドと、該第１の外側ガイドに近接して位置するとともに該第１の外側ガイドからわずかに内側にずれており、且つ前記フレームプレートのうち前記第１のプレートアセンブリの前記後方ガイドと同じ端に位置する後方ガイドとの間に配置され、
前記前方経路部分及び前記後方経路部分は、該前方経路部分及び該後方経路部分それぞれに取り付けられているさらなる第１のスライド及び第２のスライドが前記第２のプレートアセンブリの前記前面にわたって自由に並進できるように、前記第２のプレートアセンブリの前記前面と平行であるとともに該前面に密接している、請求項４に記載の金型内製品ハンドリングシステム。
【請求項６】
前記前方経路部分及び前記後方経路部分のスパン、したがって前記第１の外側ガイド、前記第２の外側ガイド、及び前記後方ガイドの位置は、そこに取り付けられている前記第１のスライド及び前記第２のスライドを前記内側位置と前記外側位置との間で完全に並進させることができるほど十分でなければならない、請求項４又は５に記載の金型内製品ハンドリングシステム。
【請求項７】
前記複数の経路部分は、前記後方ガイド間で前記駆動部材の周りに延びる駆動部分を含む、請求項４又は５に記載の金型内製品ハンドリングシステム。
【請求項８】
前記複数のガイドは、前記各第１の外側ガイドと前記駆動部材との間に配置される補助ガイドをさらに含む、請求項７に記載の金型内製品ハンドリングシステム。
【請求項９】
前記複数の経路部分は、前記第１の外側ガイド間に延びる戻り部分を含む、請求項７に記載の金型内製品ハンドリングシステム。
【請求項１０】
前記少なくとも１つの可撓性連結手段は、前記フレームプレートの共通の第１の長手方向縁に沿って設けられる第１の従動可撓性連結手段及び第２の従動可撓性連結手段を含み、
前記第１の従動可撓性連結手段及び前記第２の従動可撓性連結手段はそれぞれ、前記フレームプレートの前記共通の第１の長手方向縁の長さの約半分にわたって長手方向に整列して延び、
前記第１の従動可撓性連結部材及び前記第２の従動可撓性連結部材は、逆転歯車機構（reversing gear arrangement）を用いて相互接続され、
前記第１の従動可撓性連結手段及び前記第２の従動可撓性連結手段はそれぞれ、前記少なくとも１つのプレートアセンブリの前面と平行に密接して配置される前方経路部分及び後方経路部分を含み、
前記少なくとも１つのスライドの第１のスライド及び第２のスライドは、前記第１の従動可撓性連結手段及び前記第２の従動可撓性連結手段それぞれの前記前方経路部分に付随して該第１の従動可撓性連結手段及び該第２の従動可撓性連結手段とともに駆動され、それにより、使用時に、該第１の従動可撓性連結手段が前記経路に沿って前記第１の位置と前記第２の位置との間で操作されると、前記第２の従動可撓性連結手段は逆方向に操作され、前記第１のスライド及び前記第２のスライドは、それに対応して前記内側位置と前記外側位置との間でそれぞれ操作される、請求項１に記載の金型内製品ハンドリングシステム。
【請求項１１】
前記第１の従動可撓性連結手段は、前記前方経路部分及び前記後方経路部分が前記少なくとも１つのプレートアセンブリの前記前面と平行であるように、前記フレームプレートの最も外側のコーナに位置する外側ガイドと、該フレームプレートの中央付近で前記フレームプレートの前記共通の第１の長手方向縁に沿って位置する内側駆動ガイド歯車との間に延びる、請求項１０に記載の金型内製品ハンドリングシステム。
【請求項１２】
前記前方経路部分及び前記後方経路部分が前記少なくとも１つのプレートアセンブリの前記前面と平行であるように、前記第２の従動可撓性連結手段が、前記フレームプレートのうち反対側の最も外側のコーナに位置する外側ガイドと、前記内側駆動ガイド歯車に直接隣接して前記フレームプレートの前記共通の第１の長手方向縁に沿って位置する内側従動ガイド歯車との間に延び、
前記内側駆動ガイド歯車は、前記第１の従動可撓性連結手段を駆動する下側可撓性連結手段係合部分と、前記隣接する内側ドライバガイド歯車と係合する中間歯車部分と、駆動可撓性連結手段と係合する上側可撓性連結手段係合部分とを有することを特徴とし、同様に、前記内側従動ガイド歯車は、前記第２の従動可撓性連結手段を駆動する下側可撓性連結手段係合部分と、前記隣接する内側駆動ガイド歯車の前記相補的な歯車部分と係合する上側歯車部分とを有することを特徴とし、前記内側駆動ガイド歯車及び前記内側従動ガイド歯車の噛み合う歯車部分は、前記逆転歯車を提供する、請求項１１に記載の金型内製品ハンドリングシステム。
【請求項１３】
前記第１の金型部分の前記少なくとも１つのプレートアセンブリは、該第１の金型部分の第２の側に設けられる第２のプレートアセンブリを含み、該第２のプレートアセンブリ内には前面に開口が開いている少なくとも１つの成形キャビティ部分が配置され、
前記前方経路部分及び前記後方経路部分が前記第２のプレートアセンブリの前記前面と平行であるように、さらなる第１の従動可撓性連結手段が、前記フレームプレートの最も外側のコーナに位置する外側ガイドと、該フレームプレートの中央付近でその共通の第２の長手方向縁に沿って位置する内側駆動ガイド歯車との間に延び、
前記前方経路部分及び前記後方経路部分が前記第２のプレートアセンブリの前記前面と平行であるように、第２の従動可撓性連結手段が、前記フレームプレートのうち反対側の最も外側のコーナに位置する外側ガイドと、前記内側駆動ガイド歯車に直接隣接してその共通の第２の長手方向縁に沿って位置する内側従動ガイド歯車との間に延び、
前記内側駆動ガイド歯車は、前記第１の従動可撓性連結手段を駆動する前記下側可撓性連結手段係合部分と、前記隣接する内側従動ガイド歯車と係合する中間歯車部分と、駆動可撓性連結手段と係合する前記上側可撓性連結手段係合部分とを有することを特徴とし、同様に、前記内側従動ガイド歯車は、前記第２の従動可撓性連結手段を駆動する下側可撓性連結手段係合部分と、前記隣接する内側駆動ガイド歯車の前記相補的な歯車部分と係合する上側歯車部分とを有することを特徴とし、前記内側駆動ガイド歯車及び前記内側従動ガイド歯車の噛み合う歯車部分は、前記逆転歯車を提供する、請求項１２に記載の金型内製品ハンドリングシステム。
【請求項１４】
前記駆動可撓性連結手段は、前記駆動部材を前記第１の従動ガイド歯車の前記上側可撓性連結手段と接続する、請求項１２又は１３に記載の金型内製品ハンドリングシステム。
【請求項１５】
前記駆動可撓性連結手段の経路は、前記フレームプレートの中央付近に位置する一対の補助ガイドの周りに延びることで、前記可撓性連結手段が前記駆動部材の円周と十分に係合することを確実にすることも好ましい、請求項１４に記載の金型内製品ハンドリングシステム。
【請求項１６】
前記第１の動作は、使用時に、ｉ）前記少なくとも１つの成形キャビティ部分、又はｉｉ）第２の金型部分の相補的なプレートアセンブリに配置されている相補的な成形キャビティ部分の一方から、少なくとも１つの成形品を抜き取ることである、請求項１に記載の金型内製品ハンドリングシステム。
【請求項１７】
少なくとも１つの落下シュートをさらに含み、前記少なくとも１つのスライドそれぞれの前記外側位置と一致する場所で前記第１の金型部分に取り付けられるとともに該第１の金型部分と平行に配置され、前記少なくとも１つの落下シュートは、使用時に前記少なくとも１つのスライドから前記少なくとも１つの成形品を受け取るように構成される、請求項１６に記載の金型内製品ハンドリングシステム。
【請求項１８】
前記少なくとも１つの落下シュートは、使用時に、該少なくとも１つの落下シュートを前記少なくとも１つのプレートアセンブリの前面に対して後退位置と前進位置との間で往復運動させて、前記成形品を前記製品保持装置から離すのに役立つ能力を提供する、少なくとも１つのシュートピストンアセンブリを用いて、前記第１の金型部分に取り付けられる、請求項１７に記載の金型内製品ハンドリングシステム。
【請求項１９】
前記少なくとも１つの落下シュートは、該少なくとも１つの落下シュートの下端に位置する成形品が該少なくとも１つの落下シュートから出るのを制御する手段をさらに含む、請求項１７に記載の金型内製品ハンドリングシステム。
【請求項２０】
前記第１の金型部分はホットランナを含み、前記金型内製品ハンドリングシステムは、前記ホットランナに取り付けられるように構成される、請求項１に記載の金型内製品ハンドリングシステム。
【請求項２１】
前記第１の金型部分はコアプレートアセンブリを含み、前記金型内製品ハンドリングシステムは、前記コアプレートアセンブリに取り付けられるように構成される、請求項１に記載の金型内製品ハンドリングシステム。
【請求項２２】
複数のプレートアセンブリを補助する（service）ように構成される、請求項１に記載の金型内製品ハンドリングシステム。
【請求項２３】
１つのプレートアセンブリを補助するように構成される、請求項１に記載の金型内製品ハンドリングシステム。
【請求項２４】
スタック射出成形金型の金型高温部で用いるように構成される、請求項１に記載の金型内製品ハンドリングシステム。
【請求項２５】
スタック射出成形金型の金型低温部で用いるように構成される、請求項１に記載の金型内製品ハンドリングシステム。
【請求項２６】
前記第１の動作は前記成形キャビティ部分にラベルを入れることであり、前記第２の動作はラベルを取り出すことである、請求項１に記載の金型内製品ハンドリングシステム。
【請求項２７】
前記第１のスライド及び前記第２のスライドは、前記前方経路部分と前記後方経路部分との間を並進するように配置されるように、前記前方経路部分及び前記後方経路部分それぞれの後ろ及び前に取り付けられる、請求項２に記載の金型内製品ハンドリングシステム。
【請求項２８】
前記第１の成形品は蓋である、請求項１６に記載の金型内製品ハンドリングシステム。
【請求項２９】
前記可撓性連結手段は、ｉ）ベルト、ｉｉ）チェーン、ｉｉｉ）バンド、ｉｖ）ケーブルのうちの１つである、請求項１に記載の金型内製品ハンドリングシステム。
【請求項３０】
前記可撓性連結手段は、前記複数のガイドの少なくとも１つが内部に設けられており、前記フレームプレートに調整可能且つ摺動可能に接続される張架ブロックにより張架される、請求項１に記載の金型内製品ハンドリングシステム。
【請求項３１】
前記少なくとも１つのスライドは、スパナ及び関連するクランピングブロックを用いて前記可撓性連結手段に固定される、請求項１に記載の金型内製品ハンドリングシステム。
【請求項３２】
前記動力手段は、モータにより駆動されている駆動軸である、請求項１に記載の金型内製品ハンドリングシステム。
【請求項３３】
前記駆動部材は、前記第１のトランスミッション及び前記第２のトランスミッションそれぞれを駆動するために前記駆動軸の端付近に接続される、第１の駆動歯車及び第２の駆動歯車である、請求項３２に記載の金型内製品ハンドリングシステム。
【請求項３４】
前記第１の金型部分には、前記駆動軸を収容する通路が通っている、請求項３２に記載の金型内製品ハンドリングシステム。
【請求項３５】
前記少なくとも１つのスライドは、該少なくとも１つのスライドが前記可撓性連結手段に従って前記外側ガイドの円周の少なくとも一部の周りを動くことを可能にすることで、前記少なくとも１つのスライドが前記外側ガイドの中心周りの対応する円弧を進むことによって、前記外側位置で前記第１の金型部分の側部とほぼ平行に位置決めされるように、前記可撓性連結手段に取り付けられる、請求項３、１１、又は１７に記載の金型内製品ハンドリングシステム。
【請求項３６】
前記落下シュートは、前記成形品を受け取るために前記第１の金型部分の対応する側に沿って位置する、請求項３５に記載の金型内製品ハンドリングシステム。
【請求項３７】
少なくとも１つの金型部分に取り付けられる少なくとも１つの金型内製品ハンドリングシステムを含む射出成形金型であって、前記少なくとも１つの金型部分の第１の側には少なくとも１つのプレートアセンブリが設けられ、該少なくとも１つのプレートアセンブリの前面には開口が開いている少なくとも１つの成形キャビティ部分が配置され、前記金型内製品ハンドリングシステムは、
使用時に製品と係合して該製品を運搬するための複数の製品保持装置が前面に構成されている細長いレールによって提供される、少なくとも１つのスライドと、
該少なくとも１つのスライドの概ね両端に接続される第１のトランスミッション及び第２のトランスミッションであって、使用時に、前記少なくとも１つのプレートアセンブリの前面にわたって、前記少なくとも１つの成形キャビティ部分に隣接しており第１の動作を行う内側位置と、前記少なくとも１つのプレートアセンブリの前記前面から横方向に離間しており第２の動作を行う外側位置との間で前記少なくとも１つのスライドを並進させるように協働する、第１のトランスミッション及び第２のトランスミッションと、
該第１のトランスミッション及び該第２のトランスミッションを駆動する動力手段と、
を備え、前記第１のトランスミッション及び前記第２のトランスミッションはそれぞれ、
フレームプレートと、
該フレームプレートに収容される、経路に沿って構成される少なくとも１つの可撓性連結手段と、
前記フレームプレートの上面に取り付けられる、前記経路を画定する複数のガイドと、
なお、前記経路は前記ガイド間に画定される複数の経路部分を含み、
使用時に、前記少なくとも１つの可撓性連結手段を前記経路に沿って第１の位置と第２の位置との間で操作するために、前記動力手段を前記少なくとも１つの可撓性連結手段と連結する駆動部材と
を含み、前記少なくとも１つのスライドは、前記経路部分の１つに沿って前記少なくとも１つの可撓性連結手段に付随して該少なくとも１つの可撓性連結手段とともに駆動され、それにより、使用時に、該少なくとも１つの可撓性連結手段が前記経路に沿って前記第１の位置と前記第２の位置との間で操作されると、前記少なくとも１つのスライドは、それに対応して前記内側位置と前記外側位置との間でそれぞれ操作される、射出成形金型。
【請求項３８】
金型の第１の金型部分に取り付けるように構成され、該第１の金型部分の第１の側には少なくとも１つのプレートアセンブリが設けられ、該少なくとも１つのプレートアセンブリの前面には開口が開いている少なくとも１つの成形キャビティ部分が配置される、金型内製品ハンドリングシステムで用いるトランスミッションであって、
フレームプレートと、
該フレームプレートに収容される、経路に沿って構成される少なくとも１つの可撓性連結手段と、
前記フレームプレートの上面に取り付けられる、前記経路を画定する複数のガイドと、
なお、前記経路は前記ガイド間に画定される複数の経路部分を含み、
使用時に、前記少なくとも１つの可撓性連結手段を前記経路に沿って第１の位置と第２の位置との間で操作するために、動力手段を前記少なくとも１つの可撓性連結手段と連結する駆動部材と
を含み、該トランスミッションは、使用時に、少なくとも１つのスライドが、前記経路部分の１つに沿って前記少なくとも１つの可撓性連結手段に付随して該少なくとも１つの可撓性連結手段とともに駆動され、それにより、該少なくとも１つの可撓性連結手段が前記経路に沿って前記第１の位置と前記第２の位置との間で操作されると、前記少なくとも１つのスライドがそれに対応して前記内側位置と前記外側位置との間でそれぞれ操作されるように構成される、金型内製品ハンドリングシステムで用いるトランスミッション。
【請求項３９】
金型内製品ハンドリングシステムを用いて金型からの成形品を取り扱う方法であって、前記金型内製品ハンドリングシステムは、
成形品保持装置を有するスライドと、
該スライドを前記金型に接続して、該金型の成形面にわたって該スライドを横方向に並進させるトランスミッションと、
前記成形品を前記保持装置から受け取り、且つ該成形品が解放されると該成形品を出口へ運ぶように構成される落下シュートと、
該落下シュートを前記金型に接続して、該金型の前記成形面に対して該落下シュートを往復運動させる位置決め装置と
を含み、該方法は、
ｉ）前記成形面に配置されている成形インサートから該成形品を受け取るために前記製品保持装置が位置決めされるように、前記スライドを前記成形面にわたって内側位置へ横方向に並進させるステップと、
ｉｉ）前記成形品を前記成形インサートから該製品保持装置へ排出するステップと、
ｉｉｉ）前記製品保持装置に保持されている前記成形品を受け取るために、前記落下シュートを後退位置へ位置決めするステップと、
ｉｖ）前記スライドを前記成形面にわたって、前記製品保持装置に保持されている該成形品が前記落下シュート内に受け取られる外側位置へ横方向に位置決めするステップと、
ｖ）前記成形品が前記製品保持装置から解放されると、前記落下シュートを前進位置へ位置決めし、その後、前記成形品が前記落下シュート内を前記出口まで下降するステップと
を含む、金型内製品ハンドリングシステムを用いて金型からの成形品を取り扱う方法。
【請求項４０】
前記トランスミッションは、経路に沿って構成される可撓性連結手段を内部に含み、
前記スライドは、経路部分に沿って前記可撓性連結手段に付随して該可撓性連結手段とともに駆動される、請求項３９に記載の金型内製品ハンドリングシステムを用いて金型からの成形品を取り扱う方法。
【請求項４１】
前記スライドは、リニアレールによって前記金型の前記成形面に取り付けられ、
前記トランスミッションは、前記スライドに接続され、前記金型に回転可能に取り付けられる駆動歯車によって駆動されるラックを含む、請求項３９に記載の金型内製品ハンドリングシステムを用いて金型からの成形品を取り扱う方法。
【手続補正２】
【補正対象書類名】明細書
【補正対象項目名】００４７
【補正方法】変更
【補正の内容】
【００４７】
特に、第１の従動ベルト２０１は、落下シュート７７の外側位置を越えて上側フレームプレート２３０のコーナに位置決めされている外側アイドラ２１２と、上側フレームプレート２３０の中央付近でその縁に隣接して位置決めされている内側駆動アイドラ歯車２１４との間に延びて、前方経路部分２０２及び後方経路部分２０４が、本明細書で前述した理由でキャビティプレートアセンブリの前面と平行になるようになっている。
【手続補正３】
【補正対象書類名】明細書
【補正対象項目名】００４９
【補正方法】変更
【補正の内容】
【００４９】
内側駆動アイドラ歯車２１４は、第１の従動ベルト２０１を駆動する下側ベルト係合部分と、隣接する内側従動アイドラ歯車２１６と係合する中間歯車部分と、駆動ベルト２０６と係合する上側ベルト係合部分とを有することを特徴とする。同様に、内側従動アイドラ歯車２１６は、第２の従動ベルト２０３を駆動する下側ベルト係合部分と、隣接する内側駆動アイドラ歯車２１４の相補的な歯車部分と係合する上側歯車部分とを有することを特徴とする。内側駆動アイドラ歯車２１４及び内側従動アイドラ歯車２１６の噛み合った歯車部分は、本明細書で前述した逆転歯車を提供する。
【手続補正４】
【補正対象書類名】明細書
【補正対象項目名】００７１
【補正方法】変更
【補正の内容】
【００７１】
本発明は、好適な実施形態であると目下考えられるものに関して説明したが、本発明が開示された実施形態に限定されないことを理解されたい。添付の特許請求の範囲は、このような変更及び均等な構造及び機能の全てを網羅するように最も広義に解釈すべきである。